(57)【特許請求の範囲】
【請求項１】
発射された遊技球を所定のレールによって遊技領域に誘導して所定の遊技を実行する遊技機であって、
遊技が行われる場合に閉止される開閉可能な扉部材と、
導電材を用いて形成され、前記扉部材を開閉可能に軸支するヒンジ部と、
前記扉部材を施錠する金属製の施錠手段とを備え、
前記施錠手段によって前記扉部材が施錠された状態において、前記ヒンジ部と前記レールとが前記施錠手段を通じて電気的に接続されていることを特徴とする遊技機。
【請求項２】
前記遊技機は、パチンコ遊技機であることを特徴とする請求項１記載の遊技機。
【発明の詳細な説明】
【技術分野】
【０００１】
本発明は、遊技機に関し、詳しくは、発射された遊技球を所定のレールによって遊技領域に誘導して所定の遊技を実行する遊技機に関する。
【背景技術】
【０００２】
一般に、遊技機の遊技盤上には、打撃された遊技球（以下、打球という）を遊技領域に誘導する手段として、発射レールや外レール，内レール等のレールが設けられている。このようなレール上には、打球とレールとの摩擦によって静電気が発生するが、このような静電気を放置しておくと、静電気の電荷が遊技機の動作を制御する制御機構に作用し、遊技機の誤動作を招くおそれがある。
【先行技術文献】
【特許文献】
【０００３】
【特許文献１】特開平５−２２８２５７号公報
【発明の概要】
【発明が解決しようとする課題】
【０００４】
しかしながら、従来の遊技機において、静電気を除去するために配線の結線箇所が増加すると、遊技機の組み立て等の製造が煩雑となるという問題点があった。
【０００５】
そこで、本発明は、上記の課題を解決し、配線の結線箇所の増加を抑制しつつ静電気を外部に除去し易く構成された遊技機を提供することを目的として、以下の構成を採った。
【課題を解決するための手段】
【０００６】
本発明の遊技機は、
発射された遊技球を所定のレールによって遊技領域に誘導して所定の遊技を実行する遊技機であって、
遊技が行われる場合に閉止される開閉可能な扉部材と、
導電材を用いて形成され、前記扉部材を開閉可能に軸支するヒンジ部と、
前記扉部材を施錠する金属製の施錠手段とを備え、
前記施錠手段によって前記扉部材が施錠された状態において、前記ヒンジ部と前記レールとが前記施錠手段を通じて電気的に接続されていることを要旨とする。
【発明の効果】
【０００７】
上記発明の遊技機によれば、配線の結線箇所の増加を抑制しつつ静電気を外部に除去し易くすることができる。
【図面の簡単な説明】
【０００８】
【図１】本発明の特徴を実施例であるパチンコ遊技機１０を用いて示す説明図である。
【図２】パチンコ遊技機１０の前面を示す説明図である。
【図３】パチンコ遊技機１０の後面を示す説明図である。
【図４】金属板９０，ケースレール７４，賞球／貸球払出しユニット７５および鈴桶ベース７７が機構板７０に取り付けられる様子と機構板用ヒンジ１９０，１９５の構成を示す説明図である。
【図５】ガラス枠２２の裏面を示す説明図である。
【図６】包囲プレート１５３の折曲部１５３ａ，１５３ｂ，１５３ｃの断面形状を示す説明図である。
【図７】ガラス枠２２ないし上皿２４を取り外した状態におけるパチンコ遊技機１０の前面を示す説明図である。
【図８】図７における発射レール３０周辺の様子を示す説明図である。
【図９】外レール５１に装着された板金１１５周辺の様子を示す説明図である。
【図１０】内枠用ヒンジ１７０およびガラス枠用ヒンジ１８０，１８５の構造を、機構板用ヒンジ１９０，１９５の構造とともに示す説明図である。
【図１１】ガラス枠２２を閉じたときに、ガラス枠２２裏面の折曲部１５３ａ，１５３ｂ，１５３ｃや連結金具１５４が内枠２０の凹部２０ｉ内に納まる様子を示す説明図である。
【図１２】キーユニット２９周辺の様子を図１１の１２−１２線に沿って示す説明図である。
【図１３】図１１の１３−１３線に沿って切断したときの板金１１０周辺の様子を示す説明図である。
【図１４】図１１の１４−１４線に沿って切断したときの板金１１５周辺の様子を示す説明図である。
【図１５】賞球や貸球の払出しの前後においてパチンコ遊技機に生じる電位差を表わすグラフである。
【発明を実施するための形態】
【０００９】
以下、上記課題を解決するための他の手段について説明し、その後に、本発明の実施の形態について説明する。
発射された遊技球を所定のレールによって遊技領域に誘導して所定の遊技を実行する遊技機であって、
導電材を用いて形成され、前記遊技機の一部を開閉可能に軸支するヒンジと、
前記レールと前記ヒンジとを接続する導電性の接続部材と
を備え、
前記接続部材が、前記レールから前記ヒンジまでの経路形状をそのまま形成する部材で構成されることも好適である。
【００１０】
上記遊技機によれば、遊技球を遊技領域に誘導するレールとヒンジとを、レールからヒンジまでの経路形状をそのまま形成する導電性の接続部材で接続する。従って、レールからヒンジまでの経路形状が遊技機に対する外部からの衝撃等によって変化してしまうということがない。従って、レールとヒンジとの接続状態を確実に保持することが可能となり、レールに帯電した静電気を確実にヒンジに導いて遊技機の外部に除去することができる。
【００１１】
遊技の実行に際して閉止される開閉可能な扉と、該扉が閉止されたときにレールとヒンジとを接続部材を介して電気的に接続する閉止接続構造とを備えることも好適である。こうすれば、扉の閉止状態においてヒンジとレールとが接続部材を介して導通される。従って、遊技の実行中にレール上での遊技球の流動によって発生する静電気を、扉の閉止という簡単な動作によって確実に除去することができる。
【００１２】
接続部材として、扉を開けた状態においてレールと導通される第一接続部材と、扉の閉止に伴って第一接続部材に当接する当接接続部材とを備え、当接接続部材および第一接続部材のうちの少なくとも一方の部材が、他方の部材に対する弾性力を有し、扉の閉止に伴って当接接続部材が第一接続部材に当接するときに、当接接続部材および第一接続部材のうちの少なくとも一方の部材が弾性力に抗して変形する構成としてもよい。こうすれば、一方の部材の他方の部材に対する弾性力により、扉を閉止する際に程よい抵抗感が付与され、扉の急閉止を抑制することができる。
【００１３】
遊技の実行に際して閉止される開閉可能な扉を、該扉を閉じたときに遊技領域を視認可能とする開口部を有する前面扉とし、接続部材として、前面扉を開けた状態においてレールと導通される第一接続部材と、前面扉の裏面に所定の面積で設けられた板体と、該板体とヒンジとを接続する第ニ接続部材とを備え、閉止接続構造を、前面扉が閉止されたときに板体が少なくとも第一接続部材に当接することにより、レールとヒンジとを電気的に接続する構造とすることも望ましい。こうすれば、前面扉を閉じることにより、レールに帯電した静電気は、第一接続部材を通じて板体に導かれ、所定の面積で設けられた板体内において分散される。従って、レール上の静電気をレール外に効率よく逃がすことができる。
【００１４】
閉止接続構造を、前面扉が閉止されたときに板体が第一接続部材に加えて、レールの少なくとも一部に当接する構造としてもよい。こうすれば、レールに接触する対象が第一接続部材および板体となり、レールと導電性部材との接触領域がより広くなる。従って、レール上の静電気のレール外への除去効率をより一層高めることができる。例えば、前面扉が閉止されたときに板体がレールの端部に接触する構成とすれば、端部等の尖った部分に帯電しやすい性質を有する静電気を効果的にレール外へ除去することができる。
【００１５】
板体を開口部の外周領域に非連続的に設けることも好ましい。こうすれば、レールから板体に導かれた静電気の板体内におけるループを回避することができ、板体内の静電気を第ニ接続部材，ヒンジを通じて遊技機外部に確実に逃がすことができる。なお、「板体を非連続的に設ける」とは、具体的には、開口部の外周領域に設けられる板体に端面同士が非接触となる部分を設けることを意味する。このような構成としては、例えば、開口部の外周領域に、その一部が切り取られた一枚の板体を設けたり、複数枚の板体を一の板体と他の板体との間に所定の隙間を形成しつつ張設すること等を考えることができる。
【００１６】
所定のレールとして複数のレール部材を有し、該複数のレール部材のうちの少なくとも二つのレール部材を、該レール部材間における導通が可能な状態で設けてもよい。こうすれば、レール部材間における電位差が生じにくくなり、一のレール上での局所的な高電圧の発生を防止することができる。
【００１７】
以上説明した本発明の構成および作用を一層明らかにするために、以下本発明の実施の形態を実施例に基づき説明する。図１は、本発明の特徴を、本発明の実施例であるパチンコ遊技機１０を用いて示す説明図である。この図１では、パチンコ遊技機１０の前面に向かって左側の側面を外枠１２を透視した状態で示している。なお、以下の説明においては、パチンコ遊技機１０の前面方向から見たときの面を「表面」といい、パチンコ遊技機１０の後面方向から見たときの面を「裏面」という。図１では、向かって右側の面がパチンコ遊技機１０の表面となり、向かって左側の面がパチンコ遊技機１０の後面となる。
図１に示すように、パチンコ遊技機１０は、木製の外枠１２に金属製の内枠用ヒンジ１７０，１７５を介して開閉可能に軸着される樹脂製の内枠２０を備える。内枠２０の枠内に形成された開口部には、遊技領域が形成された遊技盤４０が嵌め込まれている。この遊技盤４０の裏面には、賞球払出し機構等の各種機構が装着される機構板７０が重合されている。この機構板７０は、内枠２０の正面に向かって左側（図１では手前側）の外側側面に金属製の機構板用ヒンジ１９０，１９５を介して開閉ないし係脱可能に軸着されている。
【００１８】
内枠２０の正面に向かって左側（図１では手前側）の内側側面には、樹脂製のガラス枠２２が金属製のガラス枠用ヒンジ１８０，１８５を介して開閉可能に軸着されている。このガラス枠２２は、遊技球Ｂが遊技領域を流下する途中で機外に飛び出さないように、遊技の実行に際して閉止される。
【００１９】
また、内枠２０表面下側の上皿２４で覆われる領域には、発射ハンドル（図示せず）の回転操作により発射された遊技球Ｂを外レール５１に案内する金属製の発射レール３０が装着されている。また、遊技盤４０の表面には、発射レール３０からの遊技球Ｂを遊技領域に誘導する金属製の外レール５１および内レール４９が装着されている。
【００２０】
本実施例では、発射レール３０から内枠用ヒンジ１７０ないし機構板用ヒンジ１９０，１９５までの経路に接続部材ＨＢを配設するとともに、内レール４９から内枠用ヒンジ１７０ないし機構板用ヒンジ１９０，１９５までの経路に接続部材ＵＢを、外レール５１から内枠用ヒンジ１７０ないし機構板用ヒンジ１９０，１９５までの経路に接続部材ＳＢを、それぞれ配設する。本実施例では、これらの接続部材ＨＢ，ＵＢ，ＳＢとして、各レール３０，４９，５１から各ヒンジ１７０，１９０，１９５までの経路の形状を形成しない部材（例えば、導線のように、接触や振動等の外部からの軽微な作用によって外形形状が簡単に変化する部材）を用いず、各レール３０，４９，５１から各ヒンジ１７０，１９０，１９５までの経路の形状をそのまま形成する金属製の部材のみを用いる。特許請求の範囲にいう「導電性の接続部材」は、本実施例における接続部材ＨＢ，ＵＢ，ＳＢに相当する。
【００２１】
即ち、本発明は、このような接続部材ＨＢ，ＵＢ，ＳＢをパチンコ遊技機１０の各所に配設することにより、遊技球Ｂとの摩擦等によって発射レール３０，内レール４９および外レール５１に生じた静電気を、上記接続部材ＨＢ，ＵＢ，ＳＢを通じて内枠用ヒンジ１７０や機構板用ヒンジ１９０，１９５に確実に導き、各ヒンジ１７０，１９０，１９５からパチンコ遊技機１０の外部に逃がすことを特徴とするものである。
【００２２】
次に、本実施例のパチンコ遊技機１０の全体構成について図２および図３を参照しつつ説明する。図２，図３は、それぞれパチンコ遊技機１０の前面，後面を示している。図２に示すように、パチンコ遊技機１０は、木製の外枠１２と、この外枠１２の外側側面にセットされるプリペイドカードユニット１５を備える。
【００２３】
プリペイドカードユニット１５は、貸球数の情報が記録されたプリペイドカードを挿入することにより所定数の遊技球Ｂを上皿２４に供給する装置であり、ＡＣ１００ボルトのカードユニット電源コード１７（図３を参照）と、度数表示部１６ａ，貸出ボタン１６ｂ，貸出ボタンランプおよび返却ボタン１６ｃを有する案内ユニット１６を備える。このプリペイドカードユニット１５によって貸球がなされる仕組みについては後述する。
【００２４】
パチンコ遊技機１０は、外枠１２に金属製の内枠用ヒンジ１７０，１７５を介して開閉可能に軸着される内枠２０を備える。この内枠２０に装着される各部品について以下説明する。内枠２０の枠内に形成された開口部には、予め描画シートが貼着された遊技盤４０が嵌め込まれており、この遊技盤４０は非透明の樹脂を用いて形成されたガラス枠２２で覆われている。
【００２５】
ガラス枠２２は、内枠２０の一片側（図２では向かって左側）の内側面に装着された金属製のガラス枠用ヒンジ１８０，１８５を介して内枠２０に開閉可能に軸着されている。ガラス枠２２は、ガラス枠２２の中央付近に形成された開口部２２ａと、この開口部２２ａ周囲の枠部２２ｂとから構成されている。開口部２２ａはガラスが装着されてガラス面とされており、このガラス面周辺の枠部２２ｂには、遊技状況に応じて点滅ないし点灯する表示ランプ２３が装着されている。ガラス枠２２を閉じた状態において、遊技盤４０の遊技領域は、上記ガラス枠２２のガラス面で覆われる。これにより、パチンコ遊技機１０の前面からガラス越しに遊技領域を視認することができる。
【００２６】
また、ガラス枠２２よりも下方の領域には、貸球や賞球としての遊技球Ｂを貯留する上皿２４が設けられている。この上皿２４は、内枠２０の一片側（図２では向かって左側）の内側面に金属製の上皿用ヒンジ（図示せず）を介して開閉可能に軸着されている。
【００２７】
なお、ガラス枠用ヒンジ１８０，１８５および上皿用ヒンジとは反対側（図２では向かって右側）の内枠２０の端部には、ガラス枠２２および上皿２４の開閉状態を切り換える金属製のキーユニット２９が装着されている。また、キーユニット２９近傍のガラス枠２２に設けられた鍵穴飾り２７には、キーユニット２９を動作させる錠２８が装着されている。このキーユニット２９の詳細については後述する。
【００２８】
上皿２４よりも下方の内枠２０表面には、上皿２４の容量を越えて払い出された遊技球Ｂを貯留する下皿２５、発射ハンドル２６ａの回転操作によって上皿２４から供給された遊技球Ｂを遊技領域に向けて発射する発射操作ユニット２６等が取り付けられている。また、上皿２４を開けたときに露出する内枠２０表面には、発射ハンドル２６ａの回転操作により発射された遊技球Ｂを外レール５１に案内する金属製の発射レール３０が装着されている。
【００２９】
一方、内枠２０の裏面には、図３に示すように、上皿２４および発射操作ユニット２６の取り付け位置に対応する位置に、発射モータや打球竿等からなる発射機構ユニット３１が取り付けられる。また、内枠２０の片側（図３では向かって右側）の側面には、後述する機構板７０を軸受けするための金属製の受け金具３３が螺着されている。この受け金具３３の詳細については後述する。なお、内枠２０裏面における開口部の左右には、開口部に嵌め込まれた遊技盤４０を内枠２０の裏面側から支持する支持片３２ａ，３２ｂが軸着されている。この左右の支持片３２ａ，３２ｂを軸を中心として回転させた後に遊技盤４０を引き出すことにより、遊技盤４０を内枠２０の裏面側から取り外すことができる。
【００３０】
次に、遊技盤４０について説明する。図２に示すように、遊技盤４０の表面には、発射操作ユニット２６により発射された遊技球Ｂを遊技領域まで誘導する金属製の外レール５１および内レール４９、弾性力を有する薄い金属で形成され、遊技領域に出た遊技球Ｂの内レール４９側への戻りを防止するファール球止め５０、返しゴム５２、遊技領域において打球が流下する方向を変化させる多数の障害釘、遊技領域において打球が流下する速度や方向を変化させる風車４７およびランプ風車４８、遊技領域を流下する遊技球が進入可能な数個の普通入賞口４３および一個の始動入賞口４４、遊技球Ｂの普通図柄表示装置作動ゲート４５の通過に伴って動作する普通図柄表示装置４２、遊技球Ｂの始動入賞口４４への進入に伴って図柄変動を開始する特別図柄表示装置４１、特別図柄表示装置４１によって特定図柄が表示されたときに開く大入賞口４６、各入賞口４３，４４，４６への入賞状況に応じて種々の形態で点灯ないし点滅する表示ランプ５４等の各種部品が装着されている。また、遊技盤４０の中央下部には、遊技領域において入賞しなかった遊技球Ｂの入口であるアウト口５３が形成されている。このような各部により、ガラス枠２２のガラス越しの遊技盤４０上に遊技領域が形成される。
【００３１】
一方、遊技盤４０の裏面には、図３に示すように、特別図柄表示装置４１として機能する液晶表示器５６、表示ランプ２３，５４の表示形態を制御するランプ制御基板５７、外部に出力する音声の内容を特別図柄表示装置４１の動作状況に応じて制御する音声制御基板５８が、電気配線と共に取り付けられている。なお、ランプ制御基板５７および音声制御基板５８は、金属製のランプ・音声基板用プレート５９を介して遊技盤４０に取り付けられる。こうした液晶表示器５６、ランプ制御基板５７、音声制御基板５８は、図示しない樹脂製のカバーによって覆われている。
【００３２】
次に、樹脂製の機構板７０について説明する。図３に示すように、機構板７０は、機構板７０の側面の二箇所に設けられた金属製の機構板用ヒンジ１９０，１９５を介して、内枠２０に遊技盤４０を挟んで開閉ないし係脱可能に装着される。この機構板用ヒンジ１９０，１９５の構成については後述する。
【００３３】
機構板７０の略中央には矩形の開口部７０ａが形成されている。図３に示すように、機構板７０を閉じた状態において、遊技盤４０裏面の液晶表示器５６，ランプ制御基板５７および音声制御基板５８は上記開口部７０ａ内に納まっている。
【００３４】
機構板７０の裏面には、遊技場の球供給装置から供給される遊技球を一時的に貯留する球タンク７２、球タンク７２から賞球／貸球払出しユニット７５までを連通するタンクレール７３およびケースレール７４が取り付けられている。図３に示すように、最上部に取り付けられた球タンク７２の下部には二つの凸部７２ａ，７２ｂが形成されている。これらの凸部７２ａ，７２ｂはタンクレール７３の上端と接触している。また、タンクレール７３の末端はケースレール７４の始端と接触した状態となっている。
【００３５】
ケースレール７４の末端には、保護カバー７６ａ，７６ｂ付きの賞球／貸球払出しユニット７５および鈴桶カバー７８付きの鈴桶ベース７７が連接されている。これらのケースレール７４，賞球／貸球払出しユニット７５、鈴桶ベース７７は、図３に示すように、機構板７０の裏面に敷設された矩形の金属板９０上に金属板９０と接触した状態で設置されている。また、ケースレール７４の始端と接するタンクレール７３の末端も、金属板９０上に金属板９０と接触した状態で設置されている。この金属板９０，ケースレール７４，賞球／貸球払出しユニット７５および鈴桶ベース７７の機構板７０への設置態様については後述する。
【００３６】
機構板７０におけるケースレール７４上方の領域には電源・外部端子ユニット８０が装着されている。電源・外部端子ユニット８０は、遊技場の島からＡＣ２４ボルトの電源をパチンコ遊技機１０内に導入するための遊技機電源コード８０ｂ、操作により供給電源のオン／オフを行なう電源スイッチ８０ａ、パチンコ遊技機１０に発生した特定図柄の表示による大当たり回数等を外部に出力する遊技盤用外部端子板８０ｃ、球貸しや球切れ，賞球に関する情報を外部に出力する枠用外部端子板８０ｄから構成されている。遊技機電源コード８０ｂから導入されたＡＣ２４ボルトの電源は、電気配線を通じて後述する電源ユニット８１に送られる。
【００３７】
開口部７０ａの下方には、電源基板８１ａを有する電源ユニット８１および発射制御基板８２ａを有する発射制御ユニット８２が、金属製の電源・発射制御基板用プレート８３を介して機構板７０の裏面に取り付けられている。また、機構板７０の裏面には、電源ユニット８１および発射制御ユニット８２の上面の一部を覆うように、金属製の主基板用プレート８５が螺着されており、この主基板用プレート８５上に主基板８４ａを有する主制御ユニット８４が取り付けられている。また、機構板７０の裏面には、鈴桶カバー７８の上面および電源ユニット８１の上面の一部を覆うように、金属製の払出制御基板用プレート８７が螺着されており、この払出制御基板用プレート８７上に払出制御基板８６ａを有する払出制御ユニット８６が取り付けられている。
【００３８】
外部端子ユニット８０と電気配線を介して接続された電源ユニット８１は、遊技機電源コード８０ｂから送られてきた交流電源を直流に変換し、変換された直流電源を、給電線を通じて液晶表示器５６、ランプ制御基板５７、音声制御基板５８、発射制御ユニット８２、主制御ユニット８４および払出制御ユニット８６等の各制御パーツに供給する。発射制御ユニット８２は発射機構ユニット３１の発射動作を制御する。主制御ユニット８４は、特別図柄表示装置４１や普通図柄表示装置４２における図柄の表示動作等の遊技に伴う動作を制御する。払出制御ユニット８６は、賞球／貸球払出しユニット７５による払出し動作を制御する。
【００３９】
図３に二点鎖線で示すように、機構板７０の表面には、遊技球Ｂを誘導する各種の通路が設けられている。一つは、賞球や貸球として払い出される遊技球Ｂを上皿２４に導く通路である案内路７０ｂである。また、上皿２４の容量を越えて払い出された遊技球Ｂを下皿２５に導く通路である分岐路７０ｃ、アウト口５３に侵入した遊技球Ｂをアウト球として機外へ排出する通路であるアウト球排出通路７０ｄも設けられている。
【００４０】
金属板９０，ケースレール７４，賞球／貸球払出しユニット７５および鈴桶ベース７７が機構板７０に取り付けられる様子と機構板用ヒンジ１９０，１９５の構成を図４に示す。
【００４１】
図４に示すように、機構板用ヒンジ１９０は、内枠２０側面に装着される受け金具３３上部に形成された軸孔３３ｔ１付きの軸受部３３ａと、この軸孔３３ｔ１に挿入される軸１９１ａを有する耳片１９１から構成されており、機構板用ヒンジ１９５は、受け金具３３下部に形成された軸孔３３ｔ２付きの軸受部３３ｂと、この軸孔３３ｔ２に挿入される軸１９６ａを有する耳片１９６から構成されている。軸受部３３ａ，軸受部３３ｂは、金属製の受け金具３３の一部を折り曲げることによって形成されており、軸１９１ａ，軸１９６ａは、金属製の耳片１９１，耳片１９６と一体として形成されている。この軸１９１ａ，軸１９６ａを、それぞれ軸受部３３ａの軸孔３３ｔ１，軸受部３３ｂの軸孔３３ｔ２に挿入することにより、機構板７０が内枠２０に軸着され、機構板７０は軸孔３３ｔ１および軸孔３３ｔ２を中心として回転自在となる。このように、機構板７０が内枠２０に軸着されることにより、受け金具３３は、軸孔３３ｔ１，３３ｔ２において耳片１９１，１９６の軸１９１ａ，１９６ａに接触した状態となる。
【００４２】
図４に示すように、機構板７０には、賞球や貸球として払い出された遊技球Ｂを上皿２４，下皿２５に導く案内路７０ｂが、機構板７０を幅方向に貫通することによって設けられている。この案内路７０ｂよりもやや上方（図４に示すｚ方向）に金属板９０が取り付けられる。
【００４３】
図４に示すように、金属板９０の側端部には折曲部９０ａ，折曲部９０ｂが形成されている。この折曲部９０ａ，折曲部９０ｂは、それぞれ耳片１９１，耳片１９６とともに、機構板７０側面に螺着されている。これにより、金属板９０は、折曲部９０ａ，９０ｂを介して金属製の耳片１９１，耳片１９６と導通可能な状態となる。もとより、金属板９０と耳片１９１，耳片１９６とを予め一体的に形成しておいても差し支えない。
【００４４】
金属板９０上の下方位置（図４に示す−ｚ方向寄りの位置）には、鈴桶ベース７７が、鈴桶ベース７７の装着面７７ｇと金属板９０上面とが合わさるように取り付けられる。この鈴桶ベース７７内には、賞球ないし貸球として払い出された遊技球Ｂの通路７７ａが形成されており、この通路７７ａの中央には金属製のベル７７ｃが装着されている。
【００４５】
ベル７７ｃは、装着面７７ｇを貫通して立設された金属製の支持軸７９に装着されている。従って、鈴桶ベース７７を金属板９０上に取り付けたときに、装着面７７ｇおよび支持軸７９は金属板９０に当接した状態となる。従って、ベル７７ｃに帯電した静電気は、金属板９０の折曲部９０ａ，９０ｂを通じて機構板用ヒンジ１９０，１９５（耳片１９１，１９６および受け金具３３）に導かれ、機構板用ヒンジ１９０，１９５からパチンコ遊技機１０の外部に除去される。
【００４６】
また、鈴桶ベース７７が取り付けられたときに案内路７０ｂ，分岐路７０ｃと対向する位置には、通路７７ａ内の遊技球Ｂを上皿２４方向に排出するための第一出口７７ｂ，通路７７ａ内の遊技球Ｂを下皿２５方向に排出するための第ニ出口７７ｆが形成されている。この第一出口７７ｂと第ニ出口７７ｆとの間には、仕切り板７７ｅが立設される。仕切り板７７ｅの上方には、ガイド板７７ｄが下向きの傾斜で設けられている。このガイド板７７ｄは、第ニ出口７７ｆを覆う範囲に設けられる。
【００４７】
鈴桶ベース７７の通路７７ａの上方（図４に示すｚ方向）には賞球／貸球払出しユニット７５が装着される。賞球／貸球払出しユニット７５の装着位置よりも下方（図４に示す−ｚ方向）の鈴桶ベース７７は鈴桶カバー７８によって覆われている。鈴桶カバー７８の頂面の一箇所には有底孔７８ａが設けられており、この有底孔７８ａの孔内には、主基板用プレート８５および払出制御基板用プレート８７取り付け用のナットが埋め込まれている。
【００４８】
賞球／貸球払出しユニット７５は、その内部に、モータ７５ａ，７５ｂを動力源として開閉するニ個のストッパ（図示せず）を備える。このストッパが閉成状態となることによりケースレール７４からの遊技球Ｂの流下が塞き止められる。なお、賞球／貸球払出しユニット７５の頂面には、モータ７５ａ，７５ｂをそれぞれ覆うようにニ個の保護カバー７６ａ，７６ｂが装着される。
【００４９】
賞球／貸球払出しユニット７５の、図４に示す−ｚ方向側の底部には、各ストッパの位置から連通された賞球排出口７５ｃ，貸球排出口７５ｄが形成されている。また、賞球／貸球払出しユニット７５内の賞球排出口７５ｃ，貸球排出口７５ｄの近傍には、賞球排出口７５ｃ，貸球排出口７５ｄから排出された賞球，貸球としての遊技球Ｂの数を検知する賞球／貸球センサ（図示せず）が埋め込まれている。
【００５０】
図４におけるケースレール７４は、上下にニ分割された組み合わせ前の状態を表わしている。金属板９０の上方位置に取り付けられるケースレール７４内には、タンクレール７３から流れてきた遊技球Ｂが進入する進入口７４ａ、進入口７４ａから進入した遊技球Ｂを賞球用通路７４ｃと貸球用通路７４ｄとに分岐する分岐壁７４ｂ、分岐された遊技球Ｂの出口である賞球用遊技球通過口７４ｅ，貸球用遊技球通過口７４ｆが形成されている。
【００５１】
このように構成されたパチンコ遊技機１０では、以下のように遊技内容が実行される。プリペイドカードユニット１５にプリペイドカードが挿入された後に案内ユニット１６の貸出ボタン１６ｂが押されると、貸球数の情報を検知した払出制御ユニット８６が貸球排出口７５ｄ側のストッパの開成を指示する。この結果、ケースレール７４の貸球用通路７４ｄに貯まっていた遊技球Ｂは、貸球用遊技球通過口７４ｆから賞球／貸球払出しユニット７５内の貸球排出口７５ｄを通じて鈴桶ベース７７の通路７７ａに進入する。通路７７ａに進入した遊技球Ｂは、ベル７７ｃに衝突してベル７７ｃを鳴らしながら第一出口７７ｂに向けて流下し、第一出口７７ｂから案内路７０ｂに排出される。これにより、貸球としての所定数の遊技球Ｂが案内路７０ｂを通ってパチンコ遊技機１０前面側の上皿２４に払い出される。
【００５２】
この後、図２に示す発射ハンドル２６ａの回転操作がなされると、発射操作ユニット２６は、発射機構ユニット３１の発射モータや打球竿等を駆動し、上皿２４に払い出された遊技球Ｂを遊技領域に向けて発射する。発射された遊技球Ｂは、発射レール３０上を通過した後、外レール５１と内レール４９との間に形成された通路を外レール５１や内レール４９に接触しながら上昇する。この後、遊技球Ｂは、該遊技球Ｂに付与された付勢力により、内レール４９の一端に装着されたファール球止め５０を押し開く。これにより、遊技球Ｂが遊技領域に導かれる。
【００５３】
遊技領域に導かれた遊技球Ｂは、外レール５１や障害釘に衝突しながら遊技盤４０上を流下し、アウト口５３，普通入賞口４３，大入賞口４６のうちのいずれかに進入する。アウト口５３に進入した遊技球Ｂは、アウト球排出通路７０ｄを通って機外へ排出される。一方、遊技中に普通入賞口４３や大入賞口４６に遊技球Ｂが進入した場合には、この遊技球Ｂの進入を検知した払出制御ユニット８６が賞球排出口７５ｃ側のストッパの開成を指示する。この結果、ケースレール７４の賞球用通路７４ｃに貯まっていた遊技球Ｂは、賞球用遊技球通過口７４ｅから賞球／貸球払出しユニット７５内の賞球排出口７５ｃを通じて鈴桶ベース７７の通路７７ａに進入する。通路７７ａに進入した遊技球Ｂは、ベル７７ｃに衝突してベル７７ｃを鳴らした後、ガイド板７７ｄに案内されて第一出口７７ｂに向けて流下し、第一出口７７ｂから案内路７０ｂに排出される。これにより、賞球としての所定数の遊技球Ｂが案内路７０ｂを通ってパチンコ遊技機１０前面側の上皿２４に払い出される。
【００５４】
上皿２４の容量を越える遊技球Ｂが払い出されると、遊技球Ｂは案内路７０ｂから上皿２４に流れることができなくなる。この結果、案内路７０ｂおよび第一出口７７ｂが遊技球Ｂで閉塞され、鈴桶ベース７７内の第一出口７７ｂ付近の下部に遊技球Ｂが滞留していく。遊技球Ｂが仕切り板７７ｅを超える高さにまで滞留すると、遊技球Ｂは仕切り板７７ｅを乗り越えて第ニ出口７７ｆに向けて流下し、第ニ出口７７ｆから分岐路７０ｃに排出される。これにより、賞球としての遊技球Ｂが分岐路７０ｃを通ってパチンコ遊技機１０前面側の下皿２５に払い出される。
【００５５】
以上のような賞球や貸球の払出しに伴って、ケースレール７４，タンクレール７３，球タンク７２に貯まっていた遊技球Ｂは、順次に賞球／貸球払出しユニット７５に向かうように移動する。賞球や貸球の払出しにより、球タンク７２への貯留数が一定数以下であることが検出された場合には、この検出結果を受け取った枠用外部端子板８０ｄからの指示に基づき、遊技場の球供給装置から球タンク７２に遊技球Ｂが補給される。
【００５６】
なお、払い出された賞球や貸球の数は、賞球／貸球払出しユニット７５内に設けられた賞球／貸球センサ（図示せず）によって検知される。賞球／貸球センサは所定数の払出しを検知したときに検知結果を払出制御ユニット８６に送出し、検知結果を受け取った払出制御ユニット８６は、賞球排出口７５ｃ側ないし貸球排出口７５ｄ側のストッパの閉成を指示する。ストッパの閉成により、賞球用遊技球通過口７４ｅないし貸球用遊技球通過口７４ｆからの遊技球Ｂの流下が停止される。この結果、球タンク７２、タンクレール７３およびケースレール７４内は、入賞ないし球貸し発生前と同様の遊技球Ｂが貯留した状態に戻る。
【００５７】
続いて、本実施例のパチンコ遊技機１０における特徴的な構成について図５ないし図１０を参照しつつ説明する。図５はガラス枠２２の裏面を示す説明図である。図５に示すように、ガラス枠２２裏面の枠部２２ｂには、平プレート１５０，平プレート１５１，包囲プレート１５３という薄い金属製のプレートが装着されている。
【００５８】
包囲プレート１５３は、開口部２２ａの右側から下側，左側にかけての範囲に装着された略コの字型のプレートである。包囲プレート１５３は、開口部２２ａをとり囲む範囲に、包囲プレート１５３を折り曲げることによってプレート面から所定の高さに立設された折曲部１５３ａ，１５３ｂ，１５３ｃを備える。このうち、折曲部１５３ａの上方（図５における上方向）の端部と折曲部１５３ｃの上方（図５における上方向）の端部との間には、図５に示すように、金属製の連結金具１５４が載架されている。この連結金具１５４の載架により折曲部１５３ａ，１５３ｂ，１５３ｃの強度を確保している。
【００５９】
折曲部１５３ａ，１５３ｂ，１５３ｃの断面形状を図６に示す。図６（Ａ），（Ｂ），（Ｃ）は、包囲プレート１５３を、それぞれ図５の６Ａ−６Ａ線，６Ｂ−６Ｂ線，６Ｃ−６Ｃ線に沿って切断したときの断面形状を示している。図６（Ａ）および（Ｃ）に示すように、包囲プレート１５３の折曲部１５３ａ，１５３ｃには、連結金具１５４が差し込まれる差込溝１５３ｓａ，１５３ｓｃが形成されている。
【００６０】
図６（Ａ）ないし（Ｃ）に示すように、包囲プレート１５３の折曲部１５３ａ，１５３ｂ，１５３ｃには、ガラスが嵌め込まれる嵌込溝１５３ｇａ，１５３ｇｂ，１５３ｇｃが形成されている。このうちの折曲部１５３ｂには、図６（Ｂ）に示すように、嵌込溝１５３ｇｂ形成部分から水平方向（内枠２０に装着された遊技盤４０の表面方向）に突出された形状の突出部１５３ｂｔが形成されている。この突出部１５３ｂｔは、内枠２０の外レール５１に対向する範囲を除く、折曲部１５３ｂのほぼ全範囲に形成されている。外レール５１に対向する範囲の折曲部１５３ｂは、嵌込溝１５３ｇｂ形成部分から水平方向に突出されない切欠部１５３ｂｍとされている（後述する図９を参照）。
【００６１】
また、図６（Ｃ）に示すように、嵌込溝１５３ｇｃとは反対側の折曲部１５３ｃには、金属製の係止片１５５が、折曲部１５３ｃから水平方向（ガラス枠２２の外側方向）に延出された状態で装着されている。なお、折曲部１５３ｃには、係止片１５５よりも下方の位置に、係止片１５５と同じ形状の係止片１５６が装着されている（図５を参照）。これらの係止片１５５，１５６は、後述するキーユニット２９の上下二箇所に設けられた係止部１４３ｃ，１４３ｐと対応する位置に装着されている。
【００６２】
図５に戻って説明する。図５に示すように、平プレート１５０，平プレート１５１は、開口部２２ａ外側の上方（図５における上方）領域に、包囲プレート１５３を上から覆う態様で装着されている。平プレート１５０と包囲プレート１５３とが重なり合う範囲には二本のビスが貫通しており、これにより平プレート１５０および包囲プレート１５３がガラス枠２２裏面の枠部２２ｂに固定される。平プレート１５１も、平プレート１５０と同様にビスによって貫通固定される。従って、平プレート１５０は、常時、包囲プレート１５３に当接することになり、これにより、平プレート１５０と包囲プレート１５３との間における導通が可能な状態となる。また、平プレート１５１も、常時、包囲プレート１５３に当接し、これにより、平プレート１５１と包囲プレート１５３との間における導通が可能な状態となる。
【００６３】
一方、図５に示すように、平プレート１５０と平プレート１５１とは、所定の間隔ｄ１をおいて、互いに接触しない状態で枠部２２ｂに装着されている。つまり、開口部２２ａ外側の周辺領域に設けられた平プレート１５０，１５１および包囲プレート１５３という金属製のプレートは、平プレート１５０と平プレート１５１とを離間して装着することによって、非連続的に設けられている。なお、本実施例では、図５に示す平プレート１５０，平プレート１５１および包囲プレート１５３の装着により、ガラス枠２２の裏面に約８００平方センチメートルの面積を有する金属製のプレート領域が確保される。
【００６４】
特許請求の範囲にいう「板体」は、本実施例では、平プレート１５０，平プレート１５１および包囲プレート１５３からなる金属製のプレートに相当する。もとより、「板体」を、上記の平プレート１５０，平プレート１５１および包囲プレート１５３以外の他の形態とすることも可能である。
【００６５】
なお、図５に示すように、平プレート１５１のガラス枠２２外側方向の側端部（図５における向かって右側の端部）には、ガラス枠用ヒンジ１８０の一部を構成するロール部１５１ｇが形成されている。また、ロール部１５１ｇの略鉛直下方の包囲プレート１５３上には、ガラス枠用ヒンジ１８５の一部を構成する金属製の軸受けプレート１８８が、包囲プレート１５３上面に接触した状態で装着されている。この軸受けプレート１８８は、三本のねじによってガラス枠２２裏面に螺着される。なお、ガラス枠用ヒンジ１８０，ガラス枠用ヒンジ１８５の詳細な構成については後述する。
【００６６】
ガラス枠２２ないし上皿２４を取り外した状態におけるパチンコ遊技機１０の前面を図７に示す。この図７ではプリペイドカードユニット１５の記載を省略して示している。以下、図７について説明するが、この説明においては、適宜、図８ないし図１０を参照しながら説明する。
【００６７】
図７と図２とを比較してわかるように、内枠２０のガラス枠２２で覆われる領域（以下、ガラス枠被覆領域という）ないし内枠２０の上皿２４で覆われる領域（以下、上皿被覆領域という）には、前述したキーユニット２９が配設されている。また、上皿被覆領域には、ファール球を下皿２５に案内する樹脂製のファール球案内ユニット１３１、このファール球案内ユニット１３１上に装着される金属製の台座１３２、この台座１３２上に装着される発射レール３０、台座１３２とキーユニット２９とを接続する金属製の連絡部材１３４が設けられている。加えて、発射レール３０のやや上方のガラス枠被覆領域には、内レール４９に外接された金属製の板金１１０が設けられている。
【００６８】
また、図７と図２とを比較してわかるように、図７に向かって左側方向に位置する外レール５１近傍のガラス枠被覆領域には、外レール５１に外接された金属製の板金１１５が設けられている。
【００６９】
図７に示すように、パチンコ遊技機１０からガラス枠２２ないし上皿２４を取り外すと、ガラス枠２２ないし上皿２４が取り付けられていた箇所に、内枠用ヒンジ１７０，１７５を構成する部材の一部（図７に示す軸形成部材１７１，１７６、軸１７１ａ，１７６ａ、軸受けプレート１７３，１７８）やガラス枠用ヒンジ１８０，１８５を構成する部材の一部（図７に示す軸形成部材１７１の突出部１７１ｂ、軸１８６、台座１８７）が残る。
【００７０】
図７における発射レール３０および内レール４９周辺の様子を図８に示した。まず、発射レール３０周辺の様子について説明する。図８に示すように、ファール球案内ユニット１３１上の台座１３２は、ねじを用いて内枠２０に固定されている。この台座１３２の上に、発射レール３０および球ストッパ１３３が装着されている。球ストッパ１３３は、発射レール３０上の遊技球Ｂが発射レール３０の傾斜に沿って内枠２０の底部開口２０ｙに落下することを防止する壁体である。この球ストッパ１３３と発射レール３０の始端との間に発射機構ユニット３１の打球竿３１ａが配置される。
【００７１】
また、ファール球案内ユニット１３１および台座１３２の上には、連絡部材１３４がねじを用いて装着されている。図８に示すように、連絡部材１３４は、台座１３２上に重なる重合部１３４ａと、重合部１３４ａから略直角に折れ曲がる方向に延出された延長部１３４ｂと、延長部１３４ｂから略直角に折り曲げられて重合部１３４ａと反対方向に延出された差込部１３４ｃを備える。延長部１３４ｂは、内枠２０に形成された案内面ＧＳに沿って配置されている。また、差込部１３４ｃは、内枠２０に形成されたキーユニット２９の装着面ＩＳとキーユニット２９のフレーム１４０の間に差し込まれ、装着面ＩＳとフレーム１４０との間で挟持されている。
【００７２】
図８に示すように、キーユニット２９は、ガラス枠被覆領域の縦方向（図８に示すｚ軸方向）の範囲に延設されたフレーム１４０を備える。フレーム１４０は、略コの字形の横断面形状を有しており、内枠２０の案内面ＧＳに螺着されている。なお、図８では、パチンコ遊技機１０の上方位置における内枠２０およびフレーム１４０の記載を省略している。
【００７３】
フレーム１４０の外側側面１４１ａには、上方のガラス枠被覆領域に相当する範囲に摺動板１４３が、下方の上皿被覆領域に相当する範囲に摺動板１４７が、それぞれ付設されている。摺動板１４３はガラス枠２２の開閉状態の切り換えに用いられ、摺動板１４７は上皿２４の開閉状態の切り換えに用いられる。なお、本実施例では、摺動板１４７についての詳しい説明は省略する。
【００７４】
摺動板１４３の中央付近には、ピン軸１４１，１４２の軸部と遊嵌可能な短辺長を有する長孔１４３ａ，１４３ｍが形成されている。ピン軸１４１，１４２は、この長孔１４３ａ，１４３ｍを貫通した状態でフレーム１４０の外側側面１４１ａに装着される。これにより、摺動板１４３はピン軸１４１，１４２の頭部と外側側面１４１ａとの間に、長孔１４３ａ，１４３ｍの長辺に沿って上下方向に摺動可能に配置される。
【００７５】
摺動板１４３には、バネ（図示せず）を備えたロック機構１４４が接続されている。図８に示す状態では、摺動板１４３に装着されたバネが下方向に引っ張られた状態でロック機構１４４に係止されており、この係止により摺動板１４３は最も下の位置に配置されている。このような状態を、以下、ロック機構１４４の開錠状態という。開錠状態においてロック機構１４４の先端部１４４ａが押圧されると、ロック機構１４４によるバネの係止が解除される。これにより、バネの弾性力が摺動板１４３に作用し、摺動板１４３はピン軸１４１，１４２に遊嵌された長孔１４３ａ，１４３ｍに沿って上方に移動する。この上方への移動により、ロック機構１４４は施錠状態となる。
【００７６】
上記したフレーム１４０、ピン軸１４１，１４２、摺動板１４３およびロック機構１４４は、いずれも金属を用いて形成されている。また、図８に示すように、摺動板１４３の各長孔１４３ａ，１４３ｍよりもやや上方の一部は、切り欠き形状に形成されている。この切り欠かれた部分を、以下、切欠部１４３ｂ，１４３ｎといい、一部切り欠きによって残された部分を、以下、係止部１４３ｃ，１４３ｐという。摺動板１４３の係止部１４３ｃ，１４３ｐは、切欠部１４３ｂ，１４３ｎよりもロック機構１４４の先端部１４４ａが位置する前側（図８ではｘ方向側）に位置する。なお、図８では、切欠部１４３ｂと切欠部１４３ｎの間におけるフレーム１４０，摺動板１４３およびロック機構１４４の記載を省略している。
【００７７】
前述したガラス枠２２裏側の係止片１５５，１５６が切欠部１４３ｂ，１４３ｎに進入した状態でロック機構１４４の先端部１４４ａが押圧されると、係止部１４３ｃ，１４３ｐが上方に移動してロック機構１４４が施錠状態となり、ガラス枠２２が図２に示したような閉じた状態に保たれる。ロック機構１４４の施錠状態は、鍵穴飾り２７に設けられた錠２８の解錠操作に伴って解除される。これにより、ロック機構１４４が開錠状態となり、ガラス枠２２をガラス枠用ヒンジ１８０，１８５を中心とした回転によって開くことが可能となる。なお、ガラス枠２２を開いた後、上皿２４裏面と内枠２０表面との間に指を入れ、摺動板１４７の一部を押圧移動させることにより、上皿２４とキーユニット２９との係合状態が解除される。これにより、上皿２４は上皿用ヒンジを中心として回転可能となり、上皿２４を開くことができる。
【００７８】
以上、発射レール３０周辺の様子について説明した。このように、パチンコ遊技機１０からガラス枠２２を取り外した状態において、発射レール３０は、台座１３２，連絡部材１３４を介してキーユニット２９に導通されている。特許請求の範囲にいう「第一接続部材」は、発射レール３０に関しては、本実施例におけるキーユニット２９に相当する。もとより、この「第一接続部材」を他の形態とすることも可能である。
【００７９】
次に、内レール４９周辺の様子について説明する。図８に示すように、内レール４９の外側近傍における内枠２０は、およそ内レール４９のレール幅分だけ、遊技盤４０の盤面よりも隆起された形状とされている。この隆起された形状の部分を、以下、隆起部２０ｒという。この隆起部２０ｒの外周面に沿って略Ｖ字形の板金１１０が装着される。即ち、図８に示すように、隆起部２０ｒは、前面２０ｒａ、遊技盤４０と対向する後面（図示せず）、上側面２０ｒｃ、下側面２０ｒｄという四つの外面を備える。板金１１０は、下側面２０ｒｄから隆起部２０ｒ後面と遊技盤４０の盤面との間の隙間を通って上側面２０ｒｃと内レール４９との間の空間領域に至るように配設される。このように配設された状態において、上側面２０ｒｃと内レール４９との間に位置する板金１１０は、該板金１１０が有する弾性力により内レール４９の外側に接触している。
【００８０】
このように配設された板金１１０は、隆起部２０ｒの下側面２０ｒｄにビス１１１を用いて固定される。また、図８に示すように、板金１１０の一の端部には、該端部を折り曲げ形状とすることによって折曲部１１０ｆが形成されている。板金１１０は、折曲部１１０ｆがパチンコ遊技機１０の前面側（図８ではｘ方向側）を向くように固定される。
【００８１】
特許請求の範囲にいう「第一接続部材」は、内レール４９に関しては、本実施例における板金１１０に相当する。もとより、この「第一接続部材」を他の形態とすることも可能である。
【００８２】
外レール５１に装着された板金１１５周辺の様子を図９に示す。この図９は、ガラス枠２２を開いた状態におけるパチンコ遊技機１０の斜視形状を表わしており、ガラス枠被覆領域よりも下部の構造を、ガラス枠用ヒンジ１８５，上皿用ヒンジを除き、省略して示している。
【００８３】
図９に示すように、内枠２０表面の最外周には、前方（図９におけるｘ方向）に突出された形状の鍔部２０ｄ，２０ｅ，２０ｆが形成されている。鍔部２０ｄは、パチンコ遊技機１０の正面に向かって左側（図９における−ｙ方向側）の外周に位置し、鍔部２０ｅは、パチンコ遊技機１０の正面に向かって上側（図９におけるｚ方向側）の外周に位置する。パチンコ遊技機１０の正面に向かって右側（図９におけるｙ方向側）の外周に位置する鍔部２０ｆについては、図９における図示を省略している。ガラス枠２２を閉じると、ガラス枠２２は鍔部２０ｄ，２０ｅ，２０ｆの内側に納まる。このとき、鍔部２０ｄ，２０ｅ，２０ｆの内側に形成された内枠２０の平面２０ｈの一部は、ガラス枠２２裏面の平プレート１５１や包囲プレート１５３に覆われる。
【００８４】
平面２０ｈよりも内側の内枠２０の中央領域には、平面２０ｈから遊技盤４０表面までの深さに凹んだ形状の凹部２０ｉが形成されている。この凹部２０ｉ内の遊技盤４０表面に外レール５１および内レール４９が装着される。内レール４９の先端には、前述した金属製のファール球止め５０が装着される。
【００８５】
本実施例では、図９に示すように、ファール球止め５０が外レール５１に僅かに接触する状態で、ファール球止め５０を内レール４９に装着している。従って、発射された遊技球Ｂによって押し開かれたファール球止め５０は、遊技球Ｂの通過後にその弾性力によって元の位置に戻り、再び外レール５１に僅かに接触する。これにより、外レール５１と内レール４９とは、遊技球Ｂの通過時を除き、ファール球止め５０を介して導通される。従って、外レール５１と内レール４９との間における電位差が生じにくくなり、外レール５１上や内レール４９上での局所的な高電圧の発生を防止することができる。
【００８６】
凹部２０ｉを形成する側面のうち、パチンコ遊技機１０の正面に向かって左側の側面を側面２０ｊとして図９に記す。図９に示すように、この側面２０ｊと外レール５１との間の空間領域に板金１１５が配設される。なお、図９では、説明の便宜上、板金１１５を外レール５１を透視した状態で示している。
【００８７】
図９に示すように、板金１１５の二つの端部のうち、遊技盤４０の表面側（図９に示す−ｘ方向側）に位置する片端部には、該片端部を折り曲げることによって折曲部１１５ｅが形成されている。また、ガラス枠２２の裏面方向側（図９に示すｘ方向側）に位置する他端部には、該他端部を折り曲げることによって折曲部１１５ｆが形成されている。
【００８８】
側面２０ｊと外レール５１との間の空間領域に板金１１５が配設された状態において、板金１１０の折曲部１１５ｅは、折曲部１１５ｅの有する弾性力によって外レール５１の外側に接触している。このように配設された板金１１５は、折曲部１１５ｆがパチンコ遊技機１０の前面側（図９ではｘ方向側）を向くように、側面２０ｊにビス（図示せず）を用いて固定される。
【００８９】
特許請求の範囲にいう「第一接続部材」は、外レール５１に関しては、本実施例における板金１１５に相当する。もとより、この「第一接続部材」を他の形態とすることも可能である。
【００９０】
続いて、内枠用ヒンジ１７０，１７５およびガラス枠用ヒンジ１８０，１８５の構造について、図９および図１０を参照しつつ説明する。図１０は、内枠用ヒンジ１７０およびガラス枠用ヒンジ１８０，１８５の構造を、機構板用ヒンジ１９０，１９５の構造とともに示す説明図である。この図１０では、内枠用ヒンジ１７０，１７５が取り付けられる内枠２０および外枠１２、ガラス枠用ヒンジ１８０，１８５が取り付けられるガラス枠２２および内枠２０、機構板用ヒンジ１９０，１９５が取り付けられる機構板７０および内枠２０につき、これらの外形を二点鎖線を用いて示している。
【００９１】
まず、内枠用ヒンジ１７０，１７５について説明する。図９および図１０に示すように、内枠用ヒンジ１７０は、内枠２０の上側（図１０に示すｚ方向側）の側面に取り付けられる金属製の軸形成部材１７１と、外枠１２の上側（図１０に示すｚ方向側）の側面ないし左側（図１０に示す−ｙ方向側）の側面に取り付けられる金属製の軸受けプレート１７３から構成されている。軸形成部材１７１は、その上部に、内枠２０の上側の側面に載る載置部１７１ｅと、載置部１７１ｅと連続し、内枠２０の前方（図１０に示すｘ方向側）に内枠２０の厚さを越える長さに延出された第一延出部１７１ｆとを備える。この第一延出部１７１ｆの先端には、略鉛直下方向に延びた軸１７１ａが装着されている。
【００９２】
軸形成部材１７１の下部には、内枠２０の厚みを越える長さに延出された第二延出部１７１ｇが形成されている。この第二延出部１７１ｇは、軸形成部材１７１の内枠２０への取り付けの際に  内枠２０の表裏を貫通する貫通孔２０ｃに挿入される。軸形成部材１７１が内枠２０に取り付けられると、第二延出部１７１ｇの延出終端の突出部１７１ｂは、内枠２０の平面２０ｈよりも前方（図１０に示すｘ方向）に突出した状態となる（図９を参照）。この突出部１７１ｂには、後述する摺動軸１８１の軸部１８１ｂの径よりも若干大径の軸孔１７１ｔが形成されている。
【００９３】
一方、軸受けプレート１７３には、図１０に示すように、内枠２０方向（図１０に示すｘ方向）に延出された延出部１７３ａが形成されており、この延出部１７３ａには軸１７１ａの軸径よりも若干大径の軸孔１７３ｔが穿設されている。
【００９４】
内枠用ヒンジ１７５も、内枠用ヒンジ１７０と同様に、軸１７６ａ付きの金属製の軸形成部材１７６と、軸１７６ａの軸径よりも若干大径の軸孔１７８ｔが穿設された金属製の軸受けプレート１７８から構成されている（図７を参照）。この軸形成部材１７６および軸受けプレート１７８は、内枠２０の下側（図７に示す下方向側）の側面と外枠１２との間に取り付けられる。
【００９５】
上記の軸形成部材１７１，１７６の軸１７１ａ，１７６ａを、軸受けプレート１７３，１７８の軸孔１７３ｔ，１７８ｔに挿入することにより、内枠２０が外枠１２に対して開閉可能に軸着される。例えば、内枠用ヒンジ１７０の場合には、図１０に黒色の太矢印に示すように、軸受けプレート１７３の延出部１７３ａを軸形成部材１７１の後側（図１０に示す−ｘ方向側）に形成された切欠部１７１ｃに通した後、延出部１７３ａ先端の軸孔１７３ｔに軸１７１ａを挿入する。
【００９６】
次に、ガラス枠用ヒンジ１８０，１８５について説明する。図９および図１０に示すように、ガラス枠用ヒンジ１８０は、前述した内枠２０に取り付けられる軸形成部材１７１の突出部１７１ｂに形成された軸孔１７１ｔと、ガラス枠２２の裏面に装着される平プレート１５１のロール部１５１ｇと、このロール部１５１ｇ内に挿入されてロール部１５１ｇ外側に上下に摺動可能に係止された摺動軸１８１とから構成されている。
【００９７】
図１０に示すように、ロール部１５１ｇは平プレート１５１の端部を巻き回すことにより形成されている。軸挿入孔１５１ｈは、このロール部１５１ｇ内の空間として形成される。この軸挿入孔１５１ｈには、摺動軸１８１の軸部１８１ｂが下から上に挿入される。また、ロール部１５１ｇの外側にはバネの一端が係止されるハンガー部１５１ｉが溶着されている。ハンガー部１５１ｉに係止されたバネの他端は摺動軸１８１のつまみ部１８１ａに巻き付けられている。これにより、摺動軸１８１は、バネの弾性力によって上方向（図１０に示す矢印Ｋ方向）に付勢される。この結果、軸挿入孔１５１ｈに挿入された軸部１８１ｂは、軸挿入孔１５１ｈを貫通してロール部１５１ｇの上方に突出した状態となっている。
【００９８】
一方、ガラス枠用ヒンジ１８５は、図９および図１０に示すように、内枠２０下方（図１０では−ｚ方向）の平面２０ｈに三本のビスを用いて固定される軸１８６付きの台座１８７と、前述した包囲プレート１５３と重合した状態でガラス枠２２の裏面に螺着される軸受けプレート１８８から構成されている。軸１８６は、台座１８７を貫通して下方に延出され、この延出終端において内枠２０に固定されている（図７を参照）。この軸１８６の、台座１８７よりも上方に位置にする部分がガラス枠用ヒンジ１８５として機能し、台座１８７よりも下方に位置にする部分は上皿用ヒンジとして機能する。
【００９９】
図９および図１０に示すように、ガラス枠用ヒンジ１８５を構成する台座１８７には、金属製の薄板９９の一端が装着されている。この薄板９９の他端は、内枠２０の表裏を貫通するスリット２０ｋ（図１０を参照）に内枠２０の表側から挿入され、内枠２０裏側側面の受け金具３３に装着されている。
【０１００】
また、軸受けプレート１８８は、図９および１０に示すように、ロール部１５１ｇの略鉛直下方の位置に、枠部２２ｂの外側でプレート面に対して直角方向に折り曲げられた後に水平方向に延出された折曲部１８８ａを備える。この折曲部１８８ａには、軸１８６の軸径よりも若干大径の軸孔１８８ｔが形成されている。
【０１０１】
上記の軸受けプレート１８８の軸孔１８８ｔを台座１８７上の軸１８６に挿入した後に、摺動軸１８１の軸部１８１ｂを突出部１７１ｂの軸孔１７１ｔに挿入することにより、ガラス枠２２が内枠２０に対して開閉可能に軸着される。軸部１８１ｂを軸孔１７１ｔに挿入する際には、まず、つまみ部１８１ａをバネの弾性力に抗して図１０に示す矢印Ｌ方向に押し下げ、軸部１８１ｂがロール部１５１ｇの上方にあまり突出しない状態とする。続いて、軸部１８１ｂを軸孔１７１ｔの位置に合わせた後、つまみ部１８１ａから手を離す。これにより、摺動軸１８１は、バネの弾性力によって上方向（図１０に示す矢印Ｋ方向）に移動し、軸部１８１ｂが軸孔１７１ｔに挿入される。これにより、ガラス枠２２は、図９に示すような状態で内枠２０に軸着される。
【０１０２】
このように、ガラス枠２２が内枠２０に軸着されると、平プレート１５１のロール部１５１ｇは摺動軸１８１の軸部１８１ｂに接触した状態となり、摺動軸１８１の軸部１８１ｂは軸孔１７１ｔにおいて軸形成部材１７１の突出部１７１ｂに接触した状態となる。また、内枠２０が外枠１２に軸着されると、軸形成部材１７１は軸受けプレート１７３に接触した状態となる。つまり、内枠２０が外枠１２に，ガラス枠２２が内枠２０にそれぞれ軸着された状態において、ガラス枠２２裏面の平プレート１５１は、ガラス枠用ヒンジ１８０（ロール部１５１ｇ，摺動軸１８１，軸形成部材１７１の突出部１７１ｂ）を介して内枠用ヒンジ１７０（軸形成部材１７１および軸受けプレート１７３）に導通されている。
【０１０３】
他方、ガラス枠２２が内枠２０に軸着されると、包囲プレート１５３に重合された軸受けプレート１８８は、軸孔１８８ｔにおいて軸１８６に接触した状態となり、この軸１８６が装着された台座１８７は薄板９９を介して受け金具３３に接続された状態となる。また、図４において既述したように、機構板７０が内枠２０に軸着されると、受け金具３３は、軸孔３３ｔ１，３３ｔ２において耳片１９１，１９６の軸１９１ａ，１９６ａに接触した状態となる。つまり、ガラス枠２２，機構板７０がそれぞれ内枠２０に軸着された状態において、ガラス枠２２裏面の包囲プレート１５３は、ガラス枠用ヒンジ１８５（軸受けプレート１８８，軸１８６，台座１８７）および薄板９９を介して機構板用ヒンジ１９０，１９５（受け金具３３および耳片１９１，１９６）に導通されている。
【０１０４】
特許請求の範囲にいう「第ニ接続部材」は、本実施例では、平プレート１５１と内枠用ヒンジ１７０とを接続する「ガラス枠用ヒンジ１８０」、包囲プレート１５３と機構板用ヒンジ１９０，１９５とを接続する「ガラス枠用ヒンジ１８５および薄板９９」に相当する。もとより、この「第ニ接続部材」を他の形態とすることも可能である。
【０１０５】
以上のように構成されたパチンコ遊技機１０において、ガラス枠用ヒンジ１８０，１８５を介して内枠２０に軸着されたガラス枠２２を閉じると、ガラス枠２２裏面の折曲部１５３ａ，１５３ｂ，１５３ｃや連結金具１５４は、内枠２０の凹部２０ｉ内に進入し、図１１に二点鎖線で示す範囲に納まる。図１１に示すように、折曲部１５３ｃの係止片１５５ないし係止片１５６は領域Ｐないし領域Ｑにおいてキーユニット２９に当接する。また、折曲部１５３ｂの突出部１５３ｂｔ（図１１では図示せず）は領域Ｒにおいて板金１１０に当接し、折曲部１５３ａは領域Ｓにおいて板金１１５に当接する。領域Ｐないし領域Ｑにおける折曲部１５３ｃとキーユニット２９との当接状態を図１２に、領域Ｒにおける折曲部１５３ｂと板金１１０との当接状態を図１３に、領域Ｓにおける折曲部１５３ａと板金１１５との当接状態を図１４に、それぞれ示した。以下、各図について説明する。
【０１０６】
まず、領域Ｐないし領域Ｑについて説明する。図１２は、キーユニット２９周辺の様子を図１１の１２−１２線に沿って示す説明図である。この図１２では、キーユニット２９が装着される内枠２０を省略して示している。また、ガラス枠２２については、係止片１５５，１５６を切断面として斜線のハッチングで示すとともに、係止片１５５，１５６以外の部分を仮想形状として二点鎖線ないし点線を用いて示している。
【０１０７】
図１２（Ａ）はガラス枠２２が開いている状態を示してり、キーユニット２９のロック機構１４４が開錠状態となっている。この状態においては、図８で既述したように、発射レール３０は、台座１３２，連絡部材１３４を介してキーユニット２９に導通されている。
【０１０８】
この状態からガラス枠２２を閉じていくと、まず、図１２（Ｂ）に示すように、係止片１５５，１５６が、係止部１４３ｃ，１４３ｐの上方を通って摺動板１４３の切欠部１４３ｂ，１４３ｎ内に進入する。
【０１０９】
この後、図１２（Ｂ）に示すように、ガラス枠２２裏面の包囲プレート１５３がロック機構１４４の先端部１４４ａに接触し、更にガラス枠２２を閉じていくと、ロック機構１４４の先端部１４４ａが包囲プレート１５３によって押圧される。これによりロック機構１４４が施錠状態となり、キーユニット２９およびガラス枠２２は図１２（Ｃ）に示す状態となる。即ち、係止片１５５，１５６が切欠部１４３ｂ，１４３ｎ内に進入した状態で先端部１４４ａが押圧されると、摺動板１４３が長孔１４３ａ，１４３ｍに沿って上方に移動し、この結果、摺動板１４３は係止片１５５，１５６の下端部に当接する。
【０１１０】
ロック機構１４４が施錠状態となった後にガラス枠２２から手を離すと、ガラス枠２２は押圧方向と逆方向に戻ろうとするが、この戻りの際、ガラス枠２２の係止片１５５，１５６は図１２（Ｄ）に示すように摺動板１４３の係止部１４３ｃ，１４３ｐに当接し、係止部１４３ｃ，１４３ｐが係止片１５５，１５６の戻りを妨げる。よって、ガラス枠２２から手を離した後においては、図１２（Ｄ）に示すように、係止部１４３ｃ，１４３ｐと係止片１５５，１５６とが接触した状態となり、ガラス枠２２が閉止状態に維持される。
【０１１１】
このように、ガラス枠２２の閉止状態においては、キーユニット２９の係止部１４３ｃ，１４３ｐと包囲プレート１５３の折曲部１５３ｃに装着された係止片１５５，１５６とが接触した状態となる。このため、発射レール３０は、台座１３２，連絡部材１３４，キーユニット２９の係止部１４３ｃ，１４３ｐ，包囲プレート１５３の折曲部１５３ｃを介して、包囲プレート１５３および平プレート１５０，１５１を重ね合わせてなるガラス枠２２裏面の金属製のプレート領域に導通される。
【０１１２】
また、図９および図１０において既述したように、金属製のプレート領域を構成するプレートのうち、平プレート１５１は、ガラス枠用ヒンジ１８０（ロール部１５１ｇ，摺動軸１８１，軸形成部材１７１の突出部１７１ｂ）を介して内枠用ヒンジ１７０（軸形成部材１７１および軸受けプレート１７３）に導通されており、包囲プレート１５３は、ガラス枠用ヒンジ１８５（軸受けプレート１８８，軸１８６，台座１８７）および薄板９９を介して機構板用ヒンジ１９０，１９５（受け金具３３および耳片１９１，１９６）に導通されている。
【０１１３】
このような発射レール３０と内枠用ヒンジ１７０との間の導通経路を構成する部材（台座１３２、連絡部材１３４、キーユニット２９、係止片１５５，１５６、包囲プレート１５３、平プレート１５１、ガラス枠用ヒンジ１８０）、および、発射レール３０と機構板用ヒンジ１９０，１９５との間の導通経路を構成する部材（台座１３２、連絡部材１３４、キーユニット２９、係止片１５５，１５６、包囲プレート１５３、ガラス枠用ヒンジ１８５，薄板９９，受け金具３３）が、図１における接続部材ＨＢに相当する。発射レール３０上で生じた静電気は、この接続部材ＨＢを順次に通って内枠用ヒンジ１７０や機構板用ヒンジ１９０，１９５に導かれ、各ヒンジ１７０，１９０，１９５から機外に逃がされる。
【０１１４】
次に、領域Ｒについて説明する。図１３は、図１１の１３−１３線に沿って切断したときの板金１１０周辺の様子を示す説明図である。図１３（Ａ）はガラス枠２２が開いている状態をイメージとして示している。この状態からガラス枠２２を閉じると、ガラス枠２２の枠部２２ｂは、内枠２０の鍔部２０ｄ，２０ｅ，２０ｆの内側を通って平面２０ｈに次第に近づいていき、ガラス枠２２裏面の包囲プレート１５３の折曲部１５３ａ，１５３ｂ，１５３ｃおよび連結金具１５４が内枠２０の凹部２０ｉに進入する。
【０１１５】
この折曲部１５３ｂの凹部２０ｉへの進入の際、折曲部１５３ｂ先端の突出部１５３ｂｔは、内枠２０の隆起部２０ｒに内レール４９との接触を確保しつつ装着された板金１１０の折曲部１１０ｆに当接し、更にガラス枠２２を閉じることにより、突出部１５３ｂｔは、折曲部１１０ｆの弾性力に抗して折曲部１１０ｆを押圧する。こうした板金１１０（折曲部１１０ｆ）の包囲プレート１５３（突出部１５３ｂｔ）に対する弾性力により、ガラス枠２２を閉止する際に程よい抵抗感が付与され、ガラス枠２２の急閉止を抑制することができる。
【０１１６】
ロック機構１４４が施錠されてガラス枠２２が閉止状態となったときには、図１３（Ｂ）に示すように、折曲部１１０ｆの突出部１５３ｂｔ方向への弾性力により、突出部１５３ｂｔと折曲部１１０ｆとが接触した状態に維持される。
【０１１７】
このように、ガラス枠２２の閉止状態においては、内レール４９に外接された板金１１０の折曲部１１０ｆと包囲プレート１５３の折曲部１５３ｂとが接触した状態となる。このため、内レール４９は、板金１１０，包囲プレート１５３の折曲部１５３ｂを介して、包囲プレート１５３および平プレート１５０，１５１を重ね合わせてなるガラス枠２２裏面の金属製のプレート領域に導通される。
【０１１８】
また、図９および図１０において既述したように、金属製のプレート領域を構成するプレートのうち、平プレート１５１は、ガラス枠用ヒンジ１８０（ロール部１５１ｇ，摺動軸１８１，軸形成部材１７１の突出部１７１ｂ）を介して内枠用ヒンジ１７０（軸形成部材１７１および軸受けプレート１７３）に導通されており、包囲プレート１５３は、ガラス枠用ヒンジ１８５（軸受けプレート１８８，軸１８６，台座１８７）および薄板９９を介して機構板用ヒンジ１９０，１９５（受け金具３３および耳片１９１，１９６）に導通されている。
【０１１９】
このような内レール４９と内枠用ヒンジ１７０との間の導通経路を構成する部材（板金１１０，包囲プレート１５３，平プレート１５１，ガラス枠用ヒンジ１８０）、および、内レール４９と機構板用ヒンジ１９０，１９５との間の導通経路を構成する部材（板金１１０，包囲プレート１５３，ガラス枠用ヒンジ１８５，薄板９９，受け金具３３）が、図１における接続部材ＵＢに相当する。内レール４９上で生じた静電気は、この接続部材ＵＢを順次に通って内枠用ヒンジ１７０や機構板用ヒンジ１９０，１９５に導かれ、各ヒンジ１７０，１９０，１９５から機外に逃がされる。
【０１２０】
次に、領域Ｓについて説明する。図１４は、図１１の１４−１４線に沿って切断したときの板金１１５周辺の様子を示す説明図である。この図１４では、ガラス枠２２につき、ガラス枠２２裏面の包囲プレート１５３を切断面として斜線のハッチングで示すとともに、包囲プレート１５３以外の部分を仮想形状として二点鎖線を用いて示している。
【０１２１】
図１４（Ａ）は、突出部１７１ｂにおいて内枠２０に軸着されたガラス枠２２が開いているときの状態を示している。この状態からガラス枠２２を閉じると、ガラス枠２２は内枠２０の平面２０ｈに次第に近づいていき、ガラス枠２２裏面の包囲プレート１５３の折曲部１５３ａが内枠２０の凹部２０ｉに進入する。
【０１２２】
この折曲部１５３ａの凹部２０ｉへの進入の際、折曲部１５３ａの先端部は、外レール５１との接触を折曲部１１５ｅにおいて確保しつつ内枠２０の側面２０ｊに装着された板金１１５の折曲部１１５ｆに当接する。更にガラス枠２２を閉じることにより、折曲部１５３ａの先端部は、折曲部１１５ｆの弾性力に抗して折曲部１１５ｆを押圧する。こうした板金１１５（折曲部１１５ｆ）の包囲プレート１５３（折曲部１５３ａの先端部）に対する弾性力により、ガラス枠２２を閉止する際に程よい抵抗感が付与され、ガラス枠２２の急閉止を抑制することができる。
【０１２３】
ロック機構１４４が施錠されてガラス枠２２が閉止状態となったときには、図１４（Ｂ）に示すように、折曲部１１５ｆの折曲部１５３ａ方向への弾性力により、折曲部１５３ａの先端部と折曲部１１５ｆとが接触した状態に維持される。
【０１２４】
このように、ガラス枠２２の閉止状態においては、外レール５１に外接された板金１１５の折曲部１１５ｆと包囲プレート１５３の折曲部１５３ａとが接触した状態となる。このため、外レール５１は、板金１１５，包囲プレート１５３の折曲部１５３ａを介して、包囲プレート１５３および平プレート１５０，１５１を重ね合わせてなるガラス枠２２裏面の金属製のプレート領域に導通される。
【０１２５】
また、図９および図１０において既述したように、金属製のプレート領域を構成するプレートのうち、平プレート１５１は、ガラス枠用ヒンジ１８０（ロール部１５１ｇ，摺動軸１８１，軸形成部材１７１の突出部１７１ｂ）を介して内枠用ヒンジ１７０（軸形成部材１７１および軸受けプレート１７３）に導通されており、包囲プレート１５３は、ガラス枠用ヒンジ１８５（軸受けプレート１８８，軸１８６，台座１８７）および薄板９９を介して機構板用ヒンジ１９０，１９５（受け金具３３および耳片１９１，１９６）に導通されている。
【０１２６】
このような外レール５１と内枠用ヒンジ１７０との間の導通経路を構成する部材（板金１１５，包囲プレート１５３，平プレート１５１，ガラス枠用ヒンジ１８０）、および、外レール５１と機構板用ヒンジ１９０，１９５との間の導通経路を構成する部材（板金１１５，包囲プレート１５３，ガラス枠用ヒンジ１８５，薄板９９，受け金具３３）が、図１における接続部材ＳＢに相当する。外レール５１上で生じた静電気は、この接続部材ＳＢを順次に通って内枠用ヒンジ１７０や機構板用ヒンジ１９０，１９５に導かれ、各ヒンジ１７０，１９０，１９５から機外に逃がされる。
【０１２７】
なお、各ヒンジ１７０，１９０，１９５に導かれた静電気を機外に逃がす手法としては、遊技場の島に設けられたアース線を各ヒンジ１７０，１９０，１９５に接続する手法を考えることができる。
【０１２８】
以上のように、発射レール３０，内レール４９，外レール５１を接続部材ＨＢ，接続部材ＵＢ，接続部材ＳＢを介して各ヒンジ１７０，１９０，１９５に接続することにより、パチンコ遊技機１０内で発生した静電気は迅速に機外に除去される。この結果、パチンコ遊技機１０内に帯電する静電気は、従来よりも大きく低減される。なお、上記のパチンコ遊技機１０では、上記した各レール３０，４９，５１と各ヒンジ１７０，１９０，１９５との接続部材ＨＢ，接続部材ＵＢ，接続部材ＳＢを介した導通に加えて、球タンク７２，タンクレール７３，ケースレール７４と賞球／貸球払出しユニット７５とを表面抵抗値の異なる樹脂製導電材を用いて形成し、球タンク７２等に帯電した静電気を金属板９０を介して機外に除去する構成や、各種の制御基板が敷設される電源・発射制御基板用プレート８３、主基板用プレート８５、払出制御基板用プレート８７およびランプ・音声基板用プレート５９という各プレートを相互に連絡する構成を採用する。このようなパチンコ遊技機１０において遊技中の静電気によるノイズの影響を測定した結果を図１５（Ｂ）のグラフに示した。
【０１２９】
図１５は、賞球や貸球の払出しの前後においてパチンコ遊技機に生じる電位差を表わすグラフである。このグラフは、電源ラインにおける電位差の変化をデータとして採取したものであり、縦軸は電位差を示し、横軸は経過時間を示す。また、図１５（Ａ）は従来のパチンコ遊技機の測定結果を、図１５（Ｂ）は本実施例のパチンコ遊技機１０の場合の測定結果を、それぞれ表わしている。図１５に示すように、賞球や貸球の払出しがなされる前においては、電源ラインにおける電位差は５ボルト前後で安定している。
【０１３０】
図１５（Ａ）と図１５（Ｂ）とを比較してわかるように、従来のパチンコ遊技機においては、賞球や貸球の払出しがなされる際に、最大で１１ボルト，最小で−２ボルトの電位差が生じ、電圧が変化する幅Ｗ２は１３ボルトとなる。これに対し、本実施例のパチンコ遊技機１０では、賞球や貸球の払出しがなされる際に、最大で６ボルト，最小で４ボルトの電位差が生じ、電圧が変化する幅Ｗ１は２ボルトとなる。このように、本実施例のパチンコ遊技機１０では、賞球や貸球の払出し時において電源ラインの電圧が変化する幅は、±１ボルト程度に止まり、従来のパチンコ遊技機の１／６程度にまで低減される。以上より、本実施例のパチンコ遊技機１０では、従来品と比べて、賞球や貸球の払出し等により生じた静電気によるノイズが電源ラインにのりにくくなっていることがわかる。
【０１３１】
以上説明した本実施例のパチンコ遊技機１０では、遊技球Ｂを遊技領域に誘導する発射レール３０，内レール４９，外レール５１と内枠用ヒンジ１７０，機構板用ヒンジ１９０，１９５とを金属製の接続部材ＨＢ，ＵＢ，ＳＢで接続する。この接続部材ＨＢ，ＵＢ，ＳＢは、各レール３０，４９，５１から各ヒンジ１７０，１９０，１９５までの経路形状をそのまま形成しているので、各レール３０，４９，５１から各ヒンジ１７０，１９０，１９５までの経路形状がパチンコ遊技機１０に対する外部からの衝撃等によって変化してしまうということがない。従って、各レール３０，４９，５１と各ヒンジ１７０，１９０，１９５との接続状態を確実に保持することが可能となり、各レール３０，４９，５１に帯電した静電気を確実に各ヒンジ１７０，１９０，１９５に導いてパチンコ遊技機１０の外部に除去することができる。
【０１３２】
具体的には、本実施例のパチンコ遊技機１０では、各接続部材ＨＢ，ＵＢ，ＳＢを遊技機１０を構成する面（以下、構成面という）に付設し、各接続部材ＨＢ，ＵＢ，ＳＢが動かないように構成面に止着している。従って、パチンコ遊技機１０の搬送や設置，点検等の際に、振動や接触等により接続部材ＨＢ，ＵＢ，ＳＢが意に反して動いてしまい、各レール３０，４９，５１と各ヒンジ１７０，１９０，１９５との接続状態が断ち切られてしまうといったことがない。
【０１３３】
また、本実施例のパチンコ遊技機１０では、接続部材ＨＢ，ＵＢ，ＳＢを複数の金属製部品によって構成し、これら複数の金属製部品を連接することにより、パチンコ遊技機１０前面の各レール３０，４９，５１をパチンコ遊技機１０後面の各ヒンジ１７０，１９０，１９５に接続する。従って、接続部材を複雑な形状とすることなく、各レール３０，４９，５１と各ヒンジ１７０，１９０，１９５とを接続することができる。また、パチンコ遊技機１０には、その基本的な機能を果たすために金属製の構成部品（例えば、ガラス枠２２の開閉のために用いられているキーユニット２９や機構板７０の開閉のために用いられている受け金具３３等）が配備されているが、本実施例のパチンコ遊技機１０によれば、こうした金属製の構成部品を接続部材ＨＢ，ＵＢ，ＳＢの一部として利用することができる。
【０１３４】
本実施例のパチンコ遊技機１０では、ガラス枠２２の閉止という遊技の実行前に通常行なわれる動作により、各レール３０，４９，５１と各ヒンジ１７０，１９０，１９５とが接続部材ＨＢ，ＵＢ，ＳＢを介して導通される。従って、遊技の実行中に各レール３０，４９，５１上で生じる静電気を確実に除去することができる。
【０１３５】
本実施例のパチンコ遊技機１０は、各接続部材ＨＢ，ＵＢ，ＳＢとして以下の部品を備える。
（１）接続部材ＨＢ
1)ガラス枠２２を開けた状態において発射レール３０と導通されるキーユニット２９
2)ガラス枠２２の裏面に約８００平方センチメートルの面積で設けられた平プレート１５０，１５１および包囲プレート１５３
3)平プレート１５１と内枠用ヒンジ１７０とを接続するガラス枠用ヒンジ１８０、包囲プレート１５３と機構板用ヒンジ１９０，１９５とを接続するガラス枠用ヒンジ１８５および薄板９９
（２）接続部材ＵＢ
1)ガラス枠２２を開けた状態において内レール４９と導通される板金１１０
2)ガラス枠２２の裏面に約８００平方センチメートルの面積で設けられた平プレート１５０，１５１および包囲プレート１５３
3)平プレート１５１と内枠用ヒンジ１７０とを接続するガラス枠用ヒンジ１８０、包囲プレート１５３と機構板用ヒンジ１９０，１９５とを接続するガラス枠用ヒンジ１８５および薄板９９
（３）接続部材ＳＢ
1)ガラス枠２２を開けた状態において外レール５１と導通される板金１１５
2)ガラス枠２２の裏面に約８００平方センチメートルの面積で設けられた平プレート１５０，１５１および包囲プレート１５３
3)平プレート１５１と内枠用ヒンジ１７０とを接続するガラス枠用ヒンジ１８０、包囲プレート１５３と機構板用ヒンジ１９０，１９５とを接続するガラス枠用ヒンジ１８５および薄板９９
【０１３６】
以上の接続部材ＨＢ，ＵＢ，ＳＢを有するパチンコ遊技機１０は、ガラス枠２２が閉止されたときに、1)キーユニット２９，板金１１０，板金１１５が2)ガラス枠２２裏面の平プレート１５０，１５１，包囲プレート１５３に当接することにより、各レール３０，４９，５１と各ヒンジ１７０，１９０，１９５とを電気的に接続する。従って、ガラス枠２２を閉じることにより、各レール３０，４９，５１に帯電した静電気は、1)キーユニット２９，板金１１０，板金１１５を通じて広い面積のプレート領域に速やかに導かれ、プレート領域内において分散される。従って、各レール３０，４９，５１上の静電気を各レール３０，４９，５１外に効率よく逃がすことができる。また、プレート領域から各ヒンジ１７０，１９０，１９５までの接続経路は、各接続部材ＨＢ，ＵＢ，ＳＢ間で共通の部品（ガラス枠用ヒンジ１８０、ガラス枠用ヒンジ１８５および薄板９９）によって形成されているので、静電気を逃がすために装着必要な部品数を削減することができる。
【０１３７】
また、本実施例のパチンコ遊技機１０では、平プレート１５０と平プレート１５１とを互いに離間した状態でガラス枠２２裏面に装着することにより、ガラス枠２２裏面の金属製のプレート領域を非連続的に設ける。従って、各レール３０，４９，５１から金属製のプレート領域に導かれた静電気がプレート領域内でループしてしまうことを有効に回避することが可能となり、プレート領域内の静電気を3)ガラス枠用ヒンジ１８０から内枠用ヒンジ１７０を通じて、または、ガラス枠用ヒンジ１８５，薄板９９から機構板用ヒンジ１９０，１９５を通じてパチンコ遊技機１０外部に確実に逃がすことができる。
【０１３８】
以上本発明の実施例について説明したが、本発明は、こうした実施例に限定されるものではなく、発明の要旨を逸脱しない範囲内において、種々なる態様で実施可能である。
【０１３９】
例えば、上記実施例では、ガラス枠２２が閉止されたときに、2)ガラス枠２２裏面の平プレート１５０，１５１，包囲プレート１５３が、1)キーユニット２９，板金１１０，板金１１５に当接する構成としたが、ガラス枠２２が閉止されたときに、各プレート１５０，１５１，１５３が、1)キーユニット２９，板金１１０，板金１１５のみならず各レール３０，４９，５１の端部に当接する構成としてもよい。こうすれば、各レール３０，４９，５１と金属部品との接触面積がより広くなり、レール上の静電気のレール外への除去効率をより一層高めることができる。特に、各レール３０，４９，５１の端部は、一般に尖った形状とされており帯電しやすい性質を有するので、各プレート１５０，１５１，１５３に接触させることにより各レール３０，４９，５１上での局所的な高電圧の発生を十全に防止することができる。
【０１４０】
また、上記実施例では、平プレート１５０，１５１，包囲プレート１５３という３つのプレートを重合させて配置することによりガラス枠２２裏面に金属製のプレート領域を形成したが、ガラス枠２２裏面のプレートの数は２以下や４以上であっても差し支えない。
【０１４１】
上記実施例では、接続部材ＨＢ，ＵＢ，ＳＢを複数の部品によって構成したが、接続部材ＨＢ，ＵＢ，ＳＢを一の部品によって構成しても差し支えない。
【０１４２】
更に、上記実施例では、接続部材ＨＢ，ＵＢ，ＳＢを金属製の部材としたが、この接続部材ＨＢ，ＵＢ，ＳＢの全部または一部を金属以外の導電材で成形しても差し支えない。例えば、接続部材ＨＢ，ＵＢ，ＳＢの成形材料としてカーボンや導電性樹脂等を用いれば、上記実施例とほぼ同様の効果を奏することができる。
【０１４３】
本発明の実施例であるパチンコ遊技機１０は、球貸し等による上皿２４への遊技球Ｂの補充や、上皿２４ないし下皿２５に払い出された遊技球Ｂの機外への取り出しが可能に構成されているが、機内に遊技用の球が封入され、この球を流通させることにより遊技を行なう他の遊技機にも、本発明を適用することができる。また、上記実施例のパチンコ遊技機１０では、遊技球Ｂの普通入賞口４３等の入賞口への侵入に伴って所定数の遊技球Ｂを賞球として払い出すが、このような賞球に替えて所定数のメタルや景品等を払い出す他の遊技機にも、本発明を適用することができる。このような遊技機として、アレンジボール，パチンコ玩具等を考えることができる。
【符号の説明】
【０１４４】
１０…パチンコ遊技機
１２…外枠
１５…プリペイドカードユニット
１６…案内ユニット
１６ｂ…貸出ボタン
１６ｃ…返却ボタン
１７…カードユニット電源コード
２０…内枠
２０ｃ…貫通孔
２０ｄ，２０ｅ，２０ｆ…鍔部
２０ｈ…平面
２０ｉ…凹部
２０ｊ…側面
２０ｋ…スリット
２０ｒ…隆起部
２０ｒａ…前面
２０ｒｃ…上側面
２０ｒｄ…下側面
２０ｙ…底部開口
２２…ガラス枠
２２ａ…開口部
２２ｂ…枠部
２３…表示ランプ
２４…上皿
２５…下皿
２６…発射操作ユニット
２６ａ…発射ハンドル
２８…錠
２９…キーユニット（施錠手段）
３０…発射レール
３１…発射機構ユニット
３１ａ…打球竿
３２ａ，３２ｂ…支持片
３３…受け金具
３３ａ，３３ｂ…軸受部
３３ｔ１，３３ｔ２…軸孔
４０…遊技盤
４１…特別図柄表示装置
４２…普通図柄表示装置
４３…普通入賞口
４４…始動入賞口
４５…普通図柄表示装置作動ゲート
４６…大入賞口
４７…風車
４８…ランプ風車
４９…内レール
５０…ファール球止め
５１…外レール
５２…返しゴム
５３…アウト口
５４…表示ランプ
５６…液晶表示器
５７…ランプ制御基板
５８…音声制御基板
５９…ランプ・音声基板用プレート
５９ａ,５９ｂ…脚部
５９ｃ,５９ｄ…水平部
５９ｅ,５９ｆ…壁部
６０…カバー
７０…機構板
７０ａ…開口部
７０ｂ…案内路
７０ｃ…分岐路
７０ｄ…アウト球排出通路
７２…球タンク
７２ａ，７２ｂ…凸部
７３…タンクレール
７４…ケースレール
７４ａ…進入口
７４ｂ…分岐壁
７４ｃ…賞球用通路
７４ｄ…貸球用通路
７４ｅ…賞球用遊技球通過口
７４ｆ…貸球用遊技球通過口
７５…賞球／貸球払出しユニット
７５ａ，７５ｂ…モータ
７５ｃ…賞球排出口
７５ｄ…貸球排出口
７６ａ，７６ｂ…保護カバー
７７…鈴桶ベース
７７ａ…通路
７７ｂ…第一出口
７７ｃ…ベル
７７ｄ…ガイド板
７７ｅ…仕切り板
７７ｆ…第ニ出口
７７ｇ…装着面
７８…鈴桶カバー
７８ａ…有底孔
７９…支持軸
８０…電源・外部端子ユニット
８０ａ…電源スイッチ
８０ｂ…遊技機電源コード
８０ｃ…遊技盤用外部端子板
８０ｄ…枠用外部端子板
８１…電源ユニット
８１ａ…電源基板
８２…発射制御ユニット
８２ａ…発射制御基板
８３…電源・発射制御基板用プレート
８４…主制御ユニット
８４ａ…主基板
８５…主基板用プレート
８６…払出制御ユニット
８６ａ…払出制御基板
８６ｗ…カバー
８７…払出制御基板用プレート
９０…金属板
９０ａ，９０ｂ…折曲部
９９…薄板
１１０…板金
１１０ｆ…折曲部
１１１…ビス
１１５…板金
１１５ｅ，１１５ｆ…折曲部
１３１…ファール球案内ユニット
１３２…台座
１３３…球ストッパ
１３４…連絡部材
１３４ａ…重合部
１３４ｂ…延長部
１３４ｃ…差込部
１４０…フレーム
１４１，１４２…ピン軸
１４１ａ…外側側面
１４３…摺動板
１４３ａ，１４３ｍ…長孔
１４３ｂ，１４３ｎ…切欠部
１４３ｃ，１４３ｐ…係止部
１４４…ロック機構
１４４ａ…先端部
１４７…摺動板
１５０，１５１…平プレート
１５１ｇ…ロール部
１５１ｈ…軸挿入孔
１５１ｉ…ハンガー部
１５１…平プレート
１５３…包囲プレート
１５３ａ，１５３ｂ，１５３ｃ…折曲部
１５３ｂｍ…切欠部
１５３ｂｔ…突出部
１５３ｇａ，１５３ｇｂ，１５３ｇｃ…嵌込溝
１５３ｓａ，１５３ｓｃ…差込溝
１５４…連結金具
１５５，１５６…係止片
１７０…内枠用ヒンジ
１７０，１９０，１９５…ヒンジ
１７０…内枠用ヒンジ
１７１…軸形成部材
１７１ａ…軸
１７１ｂ…突出部
１７１ｃ…切欠部
１７１ｅ…載置部
１７１ｆ…第一延出部
１７１ｇ…第二延出部
１７１ｔ…軸孔
１７３…軸受けプレート
１７３ａ…延出部
１７３ｔ…軸孔
１７５…内枠用ヒンジ
１７６…軸形成部材
１７６ａ…軸
１７８…軸受けプレート
１７８ｔ…軸孔
１８０…ガラス枠用ヒンジ
１８１…摺動軸
１８１ａ…つまみ部
１８１ｂ…軸部
１８５…ガラス枠用ヒンジ
１８６…軸
１８７…台座
１８８…軸受けプレート
１８８ａ…折曲部
１８８ｔ…軸孔
１９０…機構板用ヒンジ
１９１…耳片
１９１ａ…軸
１９５…機構板用ヒンジ
１９６ａ…軸
１９６…耳片
Ｂ…遊技球
ＨＢ，ＵＢ，ＳＢ…接続部材
ＧＳ…案内面
ＩＳ…装着面
【図１】
0005573920.tif 000002
【図２】
0005573920.tif 000003
【図３】
0005573920.tif 000004
【図４】
0005573920.tif 000005
【図５】
0005573920.tif 000006
【図６】
0005573920.tif 000007
【図７】
0005573920.tif 000008
【図８】
0005573920.tif 000009
【図９】
0005573920.tif 000010
【図１０】
0005573920.tif 000011
【図１１】
0005573920.tif 000012
【図１２】
0005573920.tif 000013
【図１３】
0005573920.tif 000014
【図１４】
0005573920.tif 000015
【図１５】
0005573920.tif 000016